(57)【要約】【課題】棒状体の一端にセンサプローブを内蔵したアタッチメントを取着し、離隔位置から傾斜面を含む平面塗膜全般の膜厚測定について作業者が立位姿勢のままで測定作業が可能で、作業労力の軽減や労働衛生面での改善を可能とする。【解決手段】膜厚測定用補助具Ｘが、棒状体１の一端にセンサプローブ３を内蔵するアタッチメント４を回動可能に取着する。被測定面Ｗに当接するアタッチメント４の測定部４１にセンサプローブ３を臨ませて立設固定し、該測定部４１の左右に当接作用部４２を弧面形成する。そして、棒状体１の一端をアタッチメント４を介して被測定面Ｗに押し当て、該アタッチメント４を可動操作することにより、測定部４１を当接させ、かつ、センサプローブ３を対置する。【選択図】　　　図１
2004012167.tif 000002
【特許請求の範囲】
【請求項１】
携帯用膜厚測定器の膜厚計とコード接続するセンサプローブとの間に棒状体を介在させ、棒状体の一端にセンサプローブを固定保持し、他端側から操作して被測定面にセンサプローブを正立させて当接することにより、棒状体の長さを隔てた離隔位置から膜厚測定をおこなうようにした膜厚測定用補助具において、
棒状体の一端にセンサプローブを内蔵するアタッチメントを回動可能に取着するとともに、被測定面に当接するアタッチメントの測定部にセンサプローブを臨ませて立設固定し、該測定部の左右に当接作用部を弧面形成し、前記棒状体の一端を前記アタッチメントを介して被測定面に押し当て、該アタッチメントを可動操作することにより、前記測定部を当接させ、かつ、前記センサプローブを対置するようにしたことを特徴とする膜厚測定用補助具。
【請求項２】
棒状体が伸縮可能なパイプであり、アタッチメントが断面視概略半月状の揺動体であって、弧面側を被測定面に対向させ、最大膨出部を適宜幅で竹割りに切除して測定部を平面形成し、その左右に弧面を残して当接作用部を形成し、前記測定部寄りの体部両側から前記棒状体の先端に固設したブラケットにより回動支持してなるものである請求項１記載の膜厚測定用補助具。
【請求項３】
携帯用膜厚測定器の膜厚計とコード接続するセンサプローブとの間に棒状体を介在させ、棒状体の一端にセンサプローブを固定保持し、他端側から操作して被測定面にセンサプローブを正立させて当接することにより、棒状体の長さを隔てた離隔位置から膜厚測定をおこなうようにした膜厚測定用補助具において、
伸縮可能な棒状体と、該棒状体の一端にブラケットを介して回動支持したアタッチメントと、該アタッチメントに内蔵されたセンサプローブを具備し、
前記アタッチメントが断面視概略半月状の揺動体であって、弧面側を被測定面に対向させ、最大膨出部を適宜幅で切除して測定部を平面形成し、その左右に弧面を残して当接作用部を形成するとともに、前記測定部にセンサプローブを臨ませて立設固定し、前記測定部寄りの体部両側から二股のブラケットを介して回動支持してなり、前記棒状体の一端を前記アタッチメントを介して被測定面に押し当て、該アタッチメントを可動操作することにより、前記測定部を当接させ、かつ、前記センサプローブを対置するようにしたことを特徴とする膜厚測定用補助具。
【発明の詳細な説明】
【０００１】
【発明の属する技術分野】
本発明は、携帯用膜厚測定器の膜厚計とコード接続するセンサプローブとの間に棒状体を介在させ、棒状体の一端にセンサプローブを固定保持し、他端側から操作して被測定面にセンサプローブを正立させて当接することにより、棒状体の長さを隔てた離隔位置から膜厚測定をおこなうようにした膜厚測定用補助具に関する。
【０００２】
【従来の技術】
先に、本出願人は、大型石油タンクの底板の塗膜厚を測定する作業労力を軽減するために、図４に示すとおり、携帯用膜厚測定器の膜厚計１とセンサプローブ２を結ぶコード３を内部に挿通するパイプ４を設け、その下端にセンサプローブ２を嵌装固定し、上端からコード３を延出して膜厚計１に接続した構成の膜厚測定用補助具を提案してきた。実用新案登録第３０４０９５９号（以下、従来補助具）。
【０００３】
この従来補助具は、床面の塗膜厚を測定する場合に、立位姿勢のまま測定作業がおこなえるために、作業労力の軽減や労働衛生面で実際的に多大な貢献をしてきた。
【０００４】
こうしたなかで、床面のみならず壁、天井、傾斜面その他の塗装平面（平面塗膜に同じ。）の膜厚測定についても、棒状体の長さを隔てた離隔位置から膜厚測定をおこなうことにより作業性を改善したいとの要請があった。
【０００５】
要するに、携帯用膜厚測定器の膜厚計とセンサプローブを両手に持って、測定点を移動してゆき、塗膜にセンサプローブを正しく当てるといった一連の作業操作を、従来補助具の適用範囲（主に床面）から平面塗膜全般に拡大したいという要請である。
【０００６】
【発明が解決しようとする課題】
しかしながら、従来補助具は、床面の塗膜厚を測定する場合を考慮しており、壁、天井、傾斜面その他の塗装平面の膜厚測定についても適用可能とするには無理があった。
【０００７】
本発明はこのような事情に鑑みてなされたものであり、上記課題を解消し、棒状体の長さを利用し、離隔位置から傾斜面を含む平面塗膜全般の膜厚測定について作業者が立位姿勢のままで測定作業可能で、より作業労力の軽減や労働衛生面での改善が可能な膜厚測定用補助具を提供するものである。
【０００８】
【課題を解決するための手段】
課題を解決するために本発明は、携帯用膜厚測定器の膜厚計とコード接続するセンサプローブとの間に棒状体を介在させ、棒状体の一端にセンサプローブを固定保持し、他端側から操作して被測定面にセンサプローブを正立させて当接することにより、棒状体の長さを隔てた離隔位置から膜厚測定をおこなうようにした膜厚測定用補助具の改善であって、
棒状体の一端にセンサプローブを内蔵するアタッチメントを回動可能に取着するとともに、被測定面に当接するアタッチメントの測定部にセンサプローブを臨ませて立設固定し、該測定部の左右に当接作用部を弧面形成し、前記棒状体の一端を前記アタッチメントを介して被測定面に押し当て、該アタッチメントを可動操作することにより、前記測定部を当接させ、かつ、前記センサプローブを対置するようにしたことを特徴とするものである。
【０００９】
【発明の実施の形態】
本発明の実施の形態を添付図面を参照して以下説明する。なお、図中の符号は、従来補助具の説明図（図４）に用いた符号とは無関係である。
【００１０】
図１は、実施形態（以下、実施例補助具。）の測定端部を示す部分斜視図である。
【００１１】
図２は、棒状体の構成（中間省略を含む）を示すの全体説明図である。参考までに寸法を付している。
【００１２】
図３は、測定操作におけるアタッチメントの作用を示す動作説明図である。
【００１３】
図示するように、実施例補助具Ｘは、上記構成のとおり、伸縮可能な棒状体１（好ましくは図示のパイプである。）と、該棒状体１の一端にブラケット２を介して回動支持したアタッチメント４と、該アタッチメント４に内蔵されたセンサプローブ３を具備している。
【００１４】
アタッチメント４は、断面視概略半月状の揺動体であって、弧面側を被測定面Ｗに対向させ、最大膨出部を適宜幅で竹割りに切除して測定部４１を平面形成し、その左右に弧面を残して当接作用部４２を形成するとともに、測定部４１にセンサプローブ３を臨ませて立設固定し、測定部４１寄りの体部両側から二股のブラケット２を介して回動支持している。
【００１５】
そして、棒状体１の一端をアタッチメント４を介して被測定面Ｗに押し当て、該アタッチメント４を可動操作することにより、測定部４１を当接させてセンサプローブ３を対置（測定姿勢を確保）するようにしている。
【００１６】
【発明の効果】
本発明は以上の構成よりなるものであり、これによれば被測定面に対して棒状体を斜め方向からアクセス（押し当て操作）しても、アタッチメントが回動して測定部を被測定面に当接させるので、センサプローブの正しい測定姿勢（正立姿勢）を確保することができる。
【００１７】
したがって、作業者は、床面のみならず壁、天井、傾斜面その他の塗装平面についても、立位姿勢のまま棒状体を操作し、その長さを隔てた離隔位置から膜厚計を読み取れるので、作業労力がより軽減される。また、職業病その他の労働衛生の改善にも寄与する。
【図面の簡単な説明】
【図１】実施例補助具の測定端部を示す部分斜視図である。
【図２】棒状体の構成（中間省略を含む）を示すの全体説明図である。
【図３】測定操作におけるアタッチメントの作用を示す動作説明図である。
【図４】従来補助具の説明図である。
【符号の説明】
１　棒状体（パイプ）
１１　伸縮調整グリップ
２　ブラケット
３　センサプローブ
４　アタッチメント（揺動体）
４１　測定部
４２　当接作用部
５　コード
６　回動支点
Ｗ　被測定面（塗膜）
Ｘ　実施例補助具〔本発明〕
【図１】
2004012167.tif 000003
【図２】
2004012167.tif 000004
【図３】
2004012167.tif 000005
【図４】
2004012167.tif 000006